(57)【要約】      （修正有）【課題】通常の範囲から外れたことを検出するための閾値として、一定値が用いられ閾値から決定される通常の範囲が、無線装置が運用されている環境における真の通常の範囲からずれてしまう場合でも、異常をより正確に検出することが可能な無線装置を提供する。【解決手段】無線装置２０は、無線信号を受信する受信部１１０と、受信部１１０が受信した無線信号の受信電力を測定する測定部１４０と、測定部１４０が測定した受信電力を用いて、異常を検出するための基準情報を生成する生成部１６１とを有する。【選択図】図１
2015211365.tif 000002
【特許請求の範囲】
【請求項１】
無線信号を受信する受信部と、
前記受信部が受信した無線信号の受信電力を測定する測定部と、
前記測定部が測定した受信電力を用いて、異常を検出するための基準情報を生成する生成部と、を備える無線装置。
【請求項２】
前記生成部は、前記無線信号を受信した時間帯毎に前記基準情報を生成する、請求項１に記載の無線装置。
【請求項３】
前記生成部は、前記無線信号を受信した曜日毎に前記基準情報を生成する、請求項１または２に記載の無線装置。
【請求項４】
前記生成部は、当該無線装置の通信範囲内で開催されるイベントの有無を示すイベント情報をさらに用いて、前記基準情報を生成する、請求項１ないし３のいずれか１項に記載の無線装置。
【請求項５】
前記イベント情報は、前記イベントの種類および前記イベントの開始時刻をさらに示す、請求項４に記載の無線装置。
【請求項６】
前記生成部は、前記イベントの種類ごとに、かつ、前記イベントの開始時刻を基準とした経過時間ごとに、前記基準情報を生成する、請求項５に記載の無線装置。
【請求項７】
前記生成部は、前記測定部が複数回測定した受信電力の統計値を、前記基準情報とする、請求項１ないし６のいずれか１項に記載の無線装置。
【請求項８】
請求項１ないし７のいずれか１項に記載の無線装置を備える無線基地局。
【請求項９】
無線信号を受信し、
前記受信した無線信号の受信電力を測定し、
前記測定した受信電力を用いて、異常を検出するための基準情報を生成する、異常検出方法。
【請求項１０】
コンピュータを、
無線信号を受信する受信部と、
前記受信部が受信した無線信号の受信電力を測定する測定部と、
前記測定部が測定した受信電力を用いて、異常を検出するための基準情報を生成する生成部として機能させるためのプログラム。
【発明の詳細な説明】
【技術分野】
【０００１】
本発明は、無線装置、無線基地局、異常検出方法、およびプログラムに関し、具体的には、無線装置が故障する前に、故障する予兆を無線装置の異常として検出する、無線装置、無線基地局、異常検出方法、およびプログラムに関する。
【背景技術】
【０００２】
無線装置の異常を検出する方法の１つに、受信電力を用いたものがある。この方法では、無線装置に異常が生じた場合、受信電力が低下したり増大したりすることを利用して、受信電力が所定の閾値を超えた場合、異常が生じたと判断して警告する。
【０００３】
特許文献１には、アンテナとそのアンテナに接続された受信回路とで構成されるアンテナブランチ毎に予め定められた一定値を用いて、無線装置の異常を検出する方法が開示されている。この方法では、無線装置が通信に用いるアンテナが折れたり、受信回路が完全に機能しなくなるなど、無線装置が実際に故障したことが異常として検出されるのではなく、無線装置が故障する前に、故障する予兆が無線装置の異常として検出される。
【先行技術文献】
【特許文献】
【０００４】
【特許文献１】特開２０１０−２８３４９７号公報
【発明の概要】
【発明が解決しようとする課題】
【０００５】
しかしながら、特許文献１に記載の方法では、異常を検出するための基準となる閾値として、予め定められた一定値が用いられる。このため、無線装置の異常を正確に検出することができない場合があるという問題があった。
【０００６】
具体的には、無線装置は、受信した無線信号の受信電力が、通常の範囲から外れたことを検出することによって、無線装置が故障する予兆を無線装置の異常として検出する。しかしながら、受信電力の通常の範囲は、無線装置が運用されている環境に応じて異なる。このため、通常の範囲から外れたことを検出するための閾値として、一定値が用いられると、閾値から決定される通常の範囲が、無線装置が運用されている環境における真の通常の範囲からずれてしまうことがある。この場合、異常を正確に検出することができない。
【０００７】
本発明の目的は、無線装置の異常をより正確に検出することが可能な、無線装置、無線基地局、異常検出方法、およびプログラムを提供することである。
【課題を解決するための手段】
【０００８】
本発明による無線装置は、
無線信号を受信する受信部と、
前記受信部が受信した無線信号の受信電力を測定する測定部と、
前記測定部が測定した受信電力を用いて、異常を検出するための基準情報を生成する生成部とを備える。
【０００９】
また、本発明による無線基地局は、
無線信号を受信する受信部と、
前記受信部が受信した無線信号の受信電力を測定する測定部と、
前記測定部が測定した受信電力を用いて、異常を検出するための基準情報を生成する生成部と、を有する無線装置を備える。
【００１０】
また、本発明による異常検出方法は、
無線信号を受信し、
前記受信した無線信号の受信電力を測定し、
前記測定した受信電力を用いて、異常を検出するための基準情報を生成する。
【００１１】
また、本発明によるプログラムは、
コンピュータを、
無線信号を受信する受信部と、
前記受信部が受信した無線信号の受信電力を測定する測定部と、
前記測定部が測定した受信電力を用いて、異常を検出するための基準情報を生成する生成部として機能させるためのプログラムである。
【発明の効果】
【００１２】
本発明によれば、無線装置の異常をより正確に検出することが可能である。
【図面の簡単な説明】
【００１３】
【図１】本発明の一実施形態にかかる無線基地局の一部構成を示すブロック図である。
【図２】図１のＲＥ２０のメモリモード時の動作について説明するためのフローチャートである。
【図３】図２のメモリモード動作により生成される基準情報の第１の例を示す図である。
【図４】ＲＥ２０が図３の基準情報を用いる場合のランニングモード時の動作の一例について説明するためのフローチャートである。
【図５】図２のメモリモード動作により生成される基準情報の第２の例を示す図である。
【図６】ＲＥ２０が図５の基準情報を用いる場合のランニングモード時の動作の一例について説明するためのフローチャートである。
【図７】図２のメモリモード動作により生成される基準情報の第３の例を示す図である。
【図８】図３の基準情報および図７の基準情報に基づいて生成された基準情報の第４の例を示す図である。
【発明を実施するための形態】
【００１４】
以下、本発明の実施形態について添付の図面を参照して説明する。なお、本明細書および図面において、同一の機能を有する構成要素については同じ符号を付することにより重複説明を省略する場合がある。
【００１５】
図１は、本発明の一実施形態にかかる無線基地局１の構成の一部を示すブロック図である。無線基地局１は、移動通信システムにおいて用いられる無線基地局である。無線基地局１は、アンテナ１００と、アンテナ１００を用いて通信を行うＲＥ（Ｒａｄｉｏ  Ｅｑｕｉｐｍｅｎｍｔ）２０と、ＲＥ２０を制御するＲＥＣ（Ｒａｄｉｏ  Ｅｑｕｉｐｍｅｎｔ  Ｃｏｎｔｒｏｌ）１０とを有する。なお、図１では、ＲＥＣ１０およびＲＥ２０を１つずつ示したが、１つのＲＥＣ１０に複数のＲＥ２０が接続されていてもよい。また、ＲＥＣ１０およびＲＥ２０は、それぞれ離れた場所に設置されて分散基地局を構成していてもよいし、一体型の装置を構成してもよい。
【００１６】
アンテナ１００は、移動通信システムにおいて無線信号として送信された通信信号を受信する。アンテナ１００は、受信した通信信号をＲＥ２０に出力する。
【００１７】
ＲＥ２０は、アンテナ１００が送受信する通信信号を処理する無線装置である。ＲＥ２０は、受信部１１０と、Ａ／Ｄ（Ａｎａｌｏｇ／Ｄｉｇｉｔａｌ）変換部１２０と、フィルタ部１３０と、レベル検出部１４０とを有する。またＲＥ２０は、ＣＰＲＩ（Ｃｏｍｍｏｎ  Ｐｕｂｌｉｃ  Ｒａｄｉｏ  Ｉｎｔｅｒｆａｃｅ）  ＩＦ（ＩｎｔｅｒＦａｃｅ）部１５０と、演算部１６０と、メモリ部１７０とをさらに有する。
【００１８】
なお、フィルタ部１３０、レベル検出部１４０、ＣＰＲＩ  ＩＦ部１５０、および演算部１６０は、例えばＦＰＧＡ（Ｆｉｅｌｄ  Ｐｒｏｇｒａｍｍａｂｌｅ  Ｇａｔｅ  Ａｒｒａｙ）などの集積回路で構成することができる。
【００１９】
受信部１１０は、アンテナ１００が出力した通信信号を受け付け、受け付けた通信信号の周波数を変換する。受信部１１０は、周波数を変換した通信信号をＡ／Ｄ変換部１２０に出力する。
【００２０】
Ａ／Ｄ変換部１２０は、受信部１１０が出力した通信信号を受け付け、受け付けた通信信号をアナログ信号からデジタル信号に変換する。Ａ／Ｄ変換部１２０は、デジタル信号に変換した通信信号をフィルタ部１３０に出力する。
【００２１】
フィルタ部１３０は、Ａ／Ｄ変換部１２０が出力した通信信号を受け付け、受け付けた通信信号をフィルタリングする。フィルタ部１３０は、フィルタリング後の通信信号をレベル検出部１４０に出力する。なお、フィルタ部１３０は、例えば、通信信号のうち、オペレーション帯域外の不要波を抑圧するデジタル回路である。
【００２２】
レベル検出部１４０は、フィルタ部１３０が出力した通信信号を受け付け、受け付けた通信信号の振幅レベルを計算することで、無線信号の受信電力を測定する測定部である。レベル検出部１４０は、演算部１６０の指示に応じて受信電力を測定する。レベル検出部１４０は、受け付けた通信信号をＣＰＲＩ  ＩＦ部１５０に出力すると共に、受信電力を測定した場合、測定した受信電力を演算部１６０に出力する。
【００２３】
ＣＰＲＩ  ＩＦ部１５０は、レベル検出部１４０が出力した通信信号を受け付け、受け付けた通信信号をＣＰＲＩ仕様のフォーマットに変換する。ＣＰＲＩ  ＩＦ部１５０は、フォーマットを変換した通信信号をＲＥＣ１０に出力する。
【００２４】
演算部１６０は、レベル検出部１４０が出力した受信電力を受け付け、受け付けた受信電力を用いて、無線基地局１に生じる異常を検出するための基準情報を生成する生成部１６１を有する。生成部１６１が機能する動作モードは、メモリモードとも呼ばれる。生成部１６１は、生成した基準情報をメモリ部１７０に記憶させる。具体的には、生成部１６１は、所定の時間（例えば１分）毎にレベル検出部１４０に受信電力を測定させて、所定の期間における、測定された受信電力の統計値を各期間の基準情報とする。統計値は、例えば受信電力の最大値および最小値である。
【００２５】
また、生成部１６１は、基準情報を所定の期間毎に生成することができる。例えば、生成部１６１は、１時間毎に基準情報を生成し、通信信号が受信された曜日毎に、基準情報を生成することもできる。さらに生成部１６１は、ＲＥ２０の通信範囲内で開催されるイベントの有無を示すイベント情報をさらに用いて、基準情報を生成してもよい。イベント情報は、イベントの開始時刻を示し、さらに、イベントの種類を示してもよい。イベント情報がイベントの種類を示す場合、生成部１６１は、イベントの種類と対応づけて基準情報を生成することができる。また、イベント情報がイベントの開始時刻を示す場合、生成部１６１は、イベントの開始時刻を基準とした経過時間と対応づけて基準情報を生成してもよい。イベント情報は、例えば、無線基地局１の管理者が入力した情報であってもよいし、移動体通信システムに接続されたサーバから取得した情報であってもよい。
【００２６】
また演算部１６０は、レベル検出部１４０が測定した受信電力と、生成部１６１がメモリモードで生成した基準情報とに基づいて、ＲＥ２０の異常を検出する検出部１６２を有する。検出部１６２が機能する動作モードは、ランニングモードとも呼ばれる。具体的には、検出部１６２は、現在時刻をＲＥＣ１０から取得して、取得した現在時刻に基づいて、メモリ部１７０に記憶された基準情報を取得する。そして、検出部１６２は、ランニングモードで測定された受信電力と、取得した基準情報とを用いて、ＲＥ２０が正常に動作しているか否かを判断する。具体的には、基準情報が受信電力の最大値および最小値である場合、検出部１６２は、レベル検出部１４０が測定した受信電力が最小値と最大値の間の値であるか否かを判断する。そして、受信電力が最小値と最大値の間の値である場合、無線基地局１は正常に動作していると判断し、受信電力が最小値と最大値の間の値でない場合、無線基地局１に異常が生じていると判断する。検出部１６２は、無線基地局１に異常が生じていると判断した場合、ＲＥＣ１０に異常を通知する。検出部１６２は、ＲＥＣ１０に異常を通知する際、受信電力が最小値を下回ったのか、最大値を上回ったのかを示す情報を通知することもできる。これにより、受信電力が最大値を上回った場合、想定外の受信電力をアンテナ１００が受けている外的要因、または受信部１１０が故障している内的要因が生じている可能性を示すことが可能になる。また、受信電力が最小値を下回った場合、アンテナ１００からレベル検出部１４０の間で故障が発生した可能性を示すことが可能になる。
【００２７】
メモリ部１７０は、生成部１６１が生成した基準情報を記憶する記憶装置である。メモリ部１７０は、基準情報を記憶するために独立して設けられた記憶装置であってもよいし、ＲＥ２０が他の用途で使用している記憶装置と兼用されてもよい。
【００２８】
ＲＥＣ１０は、ＲＥ２０とＣＰＲＩフォーマットで接続された制御装置である。ＲＥＣ１０は、ＲＥ２０を制御する。またＲＥＣ１０は、ＲＥ２０に時刻情報を提供する。例えばＲＥＣ１０は、定期的に、或いはＲＥ２０の要求に応じて、ＲＥ２０に時刻情報を提供する。ＲＥＣ１０は、ＲＥ２０から異常の通知を受け付ける。ＲＥＣ１０は、当該通知を受け付けると、例えば、移動体通信システム全体を管理するサーバのような他の装置に異常を通知する。またＲＥＣ１０は、通知を受け付けると、異常が発生したＲＥ２０を除いても正常な通信が行われるように、無線基地局１の構成を変更してもよい。
【００２９】
図２は、ＲＥ２０のメモリモード時の動作について説明するためのフローチャートである。メモリモードにおいて、ＲＥ２０は、当該ＲＥ２０が正常に稼働しているときの無線信号の受信電力を記録することで、受信電力の通常の範囲を示す基準情報を生成する。なお、ここでは、１時間ごとに異なる基準情報を生成する例について説明する。
【００３０】
まず、生成部１６１は、ＲＥＣ１０から時刻情報を取得する（ステップＳ１００)。そして、生成部１６１は、基準時点から所定時間が経過したか否かを判断する（ステップＳ１０１）。なお、基準時点は、メモリモード動作が開始した時点や、前回受信電力を測定した時点などである。
【００３１】
所定時間が未だ経過していない場合、ステップＳ１００に戻る。所定時間が経過した場合、生成部１６１は、レベル検出部１４０に受信電力を測定させる。レベル検出部１４０は、測定した受信電力を生成部１６１に出力する（ステップＳ１０２）。
【００３２】
生成部１６１は、レベル検出部１４０が出力した受信電力を受け付けて、無線信号を受信した時刻が該当する時間帯の基準情報がメモリ部１７０に既に記憶されているか否かを判断する（ステップＳ１０３）。以下では、基準情報は、受信電力の最大値および最小値であるとする。
【００３３】
該当時間帯の基準情報が記憶されていない場合、生成部１６１は、測定した受信電力を最大値および最小値としてメモリ部１７０に記憶させる（ステップＳ１０４）。該当時間帯の基準情報が既に記憶されている場合、生成部１６１は、メモリ部１７０に記憶された基準情報に含まれる最大値および最小値を取得して、測定した受信電力が最大値または最小値に該当するか否かを判断する。具体的には、生成部１６１は、測定した受信電力がメモリ部１７０に記憶された最大値より大きければ、測定した受信電力が最大値に該当すると判断し、測定した受信電力がメモリ部１７０に記憶された最小値より小さければ、測定した受信電力が最小値に該当すると判断する（ステップＳ１０５）。
【００３４】
測定した受信電力が最大値または最小値に該当する場合、生成部１６１は、最大値または最小値を更新する（ステップＳ１０６）。測定した受信電力が最大値にも最小値にも該当しない場合、生成部１６１は、ステップＳ１００の処理に戻る。
【００３５】
これにより、運用開始時の最初の測定においては、基準情報が記憶されていないため、レベル検出部１４０が測定した受信電力がそのまま最大値および最小値として記憶される。２回目以降の測定においては、測定した受信電力が最大値または最小値に該当すると、その値が更新されることになる。
【００３６】
図３は、図２のメモリモード動作により生成される基準情報の第１の例を示す図である。この例では、１時間毎に異なる基準情報を生成することとし、図２のステップＳ１０１における所定時間を１分とする。
【００３７】
０：００を過ぎて最初にレベル検出部１４０が受信電力を測定すると、測定された受信電力が０：００−１：００の時間帯の最大値および最小値として記憶される。そして、レベル検出部１４０は、生成部１６１の指示に従って１分おきに受信電力を測定するので、測定された受信電力と、メモリ部１７０に記憶された最大値および最小値とが１分おきに比較される。そして、測定された受信電力が最大値を上回れば、最大値が測定した受信電力の値に更新され、測定された受信電力が最小値を下回れば、最小値が測定した受信電力の値に更新される。その後１：００を過ぎて最初にレベル検出部１４０が受信電力を測定すると、測定された受信電力が１：００−２：００の時間帯の最大値および最小値として記憶される。これにより、０：００−１：００の基準情報は、０：００−１：００の間に測定された６０個の受信電力の最大値および最小値を含むものとなる。同様の動作が０：００−２４：００まで繰り返されると、図３に示すように、１時間ごとの基準情報が２４個生成され、２４個の基準情報が、受信電力の変化パターンを示すパターン情報を形成することになる。
【００３８】
図４は、図３の基準情報を用いる場合のランニングモード時の動作例について説明するためのフローチャートである。ランニングモードで動作するとき、図３に示す基準情報が既に生成されているものとする。
【００３９】
まず検出部１６２は、ＲＥＣ１０から時刻情報を取得する（ステップＳ２００）。そして、レベル検出部１４０に受信電力を測定させる。レベル検出部１４０は、受信電力を測定すると、測定した受信電力の値を検出部１６２に出力する（ステップＳ２０１）。
【００４０】
検出部１６２は、ステップＳ２００で取得した時刻情報に基づき、メモリ部１７０に記憶された基準情報の中から、該当時間帯の基準情報に含まれる最大値および最小値を取得する。例えば、ステップＳ２００で取得した時刻情報が、現在、１７：０３であることを示す場合、検出部１６２は、１７：００−１８：００の基準情報に含まれる最大値「−６０」および最小値「−９０」を取得することになる（ステップＳ２０２）。
【００４１】
検出部１６２は、ステップＳ２０１で測定した受信電力と、ステップＳ２０２で取得した最大値および最小値とを比較して、測定した受信電力が、最小値と最大値の間の範囲内であるか否かを判断する（ステップＳ２０３）。
【００４２】
受信電力が、最小値と最大値の間の範囲内でない場合、検出部１６２は、ＲＥＣ１０へ当該ＲＥ２０の異常を通知する（ステップＳ２０４）。受信電力が最小値と最大値の間の範囲内である場合、または、ＲＥＣ１０へＲＥ２０の異常を通知した後、検出部１６２は、ステップＳ２００の処理に戻る。
【００４３】
図５は、図２のメモリモード動作により生成される基準情報の第２の例を示す図である。第２の例では、検出部１６２は、無線信号を受信した時間帯毎（１時間毎）、且つ、曜日毎に基準情報を生成する。これにより、図５に示されるように、１時間毎に生成された２４個の基準情報が、１日における受信電力の変化を示すパターン情報を形成することになり、日曜日から土曜日まで、７つのパターン情報が生成されることとなる。
【００４４】
図６は、図５の基準情報を用いる場合のランニングモード時の動作例について説明するためのフローチャートである。
【００４５】
まず、検出部１６２は、ＲＥＣ１０から現在時刻と曜日を示す時刻情報を取得する（ステップＳ３００）。そして検出部１６２は、レベル検出部１４０に受信電力を測定させる。レベル検出部１４０は、受信電力を測定すると、測定した受信電力の値を検出部１６２に出力する（ステップＳ３０１）。
【００４６】
検出部１６２は、ステップＳ３００で取得した曜日の基準情報から、該当時間帯の基準情報に含まれる最大値および最小値を取得する（ステップＳ３０２）。
【００４７】
検出部１６２は、ステップＳ３０１で測定した受信電力と、ステップＳ３０２で取得した最大値および最小値とを比較して、測定した受信電力が最小値と最大値の間の範囲内であるか否かを判断する（ステップＳ３０３）。
【００４８】
受信電力が、最小値と最大値の間の範囲内でない場合、検出部１６２は、ＲＥＣ１０へ当該ＲＥ２０の異常を通知する（ステップＳ３０４）。測定した受信電力が、最小値と最大値の間の範囲内である場合、または、ＲＥＣ１０へＲＥ２０の異常を通知した後、検出部１６２は、ステップＳ３００の処理に戻る。
【００４９】
曜日毎に基準情報を生成することにより、より正確にＲＥ２０の異常を検出することが可能になる。例えば、平日は、朝と夕方の通勤時間帯に移動体通信システムのトラフィックが増加するため受信電力が増大し、日中はトラフィックが減少傾向にあるため受信電力が低下する。また、土日は、通勤時間帯のトラフィックは増加しないため受信電力は増大せず、日中にトラフィックが増加して受信電力が増大する。このように曜日毎に受信電力の通常の範囲は異なるため、曜日毎に基準情報を生成することで、ＲＥ２０の異常を検出する精度を向上することができる。
【００５０】
なお、上記では日曜日から土曜日の曜日毎に７つのパターン情報を生成する例について説明したが、本発明はかかる例に限定されない。例えば、祝日のパターン情報を、通常の曜日毎のパターン情報と分けて生成することもできる。この場合、検出部１６２は、当日が祝日であれば、何曜日であっても祝日のパターン情報を用いて、異常を検出する。また、生成部１６１は、月曜日から金曜日のパターン情報を平日のパターン情報として１つのパターン情報にまとめてもよい。
【００５１】
図７は、図２のメモリモード動作により生成される基準情報の第３の例を示す図である。第３の例では、トラフィックが通常と異なると予想される場合に、通常時の基準情報と分けて生成された基準情報の例である。例えば、ＲＥ２０の通信範囲内で人が集まるイベントが開催される場合、イベントの開始時点を基準とした経過時間に応じて、トラフィックの量が変化する。またこの経過時間に応じたトラフィックの変化量は、イベントの種類によっても異なる。このため、生成部１６１は、イベントが開催される場合の基準情報を、イベントの種類およびイベント開催時点を基準とした経過時間と対応づけて生成することができる。また、生成部１６１は、イベントの開催時間長と対応づけて、基準情報を生成することもできる。
【００５２】
図７において、イベントの開始時点を０：００とする。そして、この開始時点からの経過時間と対応づけて、基準情報が生成されている。検出部１６２は、図７の基準情報を用いてランニングモードで動作する場合、図７の基準情報を用いて、各時間帯の最大値および最小値を置き換えた基準情報を用いる。
【００５３】
図８は、図３の基準情報および図７の基準情報に基づいて生成された基準情報の第４の例を示す図である。この例では、イベントの開始時刻を９：００とする。
【００５４】
検出部１６２は、図３の基準情報と図７の基準情報とを取得すると、図３の時刻「７：００−８：００」に対応する最大値および最小値を、図７の時刻「−２：００〜」に対応する最大値および最小値で置き換える。これにより、第４の例における「７：００−８：００」の最大値は「−７０」となり、最小値は「−９０」となる。同様に、図３の時刻「８：００−９：００」に対応する最大値および最小値は、図７の時刻「−１：００〜」に対応する最大値および最小値でそれぞれ置き換えられ、７：００〜１４：００までの各時間帯の基準情報が置き換えられることになる。これにより、図４で説明したランニングモード時の動作と同じ動作で、ＲＥ２０の異常を検出することが可能になる。
【００５５】
以上説明したように、本実施形態によれば、ＲＥ２０は、受信部１１０と、レベル検出部１４０と、生成部１６１とを有する。受信部１１０は、無線信号を受信する。レベル検出部１４０は、受信部１１０が受信した無線信号の受信電力を測定する。生成部１６１は、測定した受信電力を用いて、異常を検出するための基準情報を生成する。これにより、ＲＥ２０ごとに、実際に測定された受信電力に基づいて基準情報が生成される。したがって、各ＲＥ２０が運用されている環境に応じて、ＲＥ２０ごとに受信電力の通常の範囲を把握することが可能になり、ＲＥ２０の異常をより正確に検出することが可能になる。
【００５６】
また、上記実施形態によれば、生成部１６１は、無線信号を受信した時間帯毎に基準情報を生成する。これにより、より細かい期間毎に受信電力の通常の範囲に応じた基準情報が生成される。したがって、より細かい期間毎にトラフィックが変化する場合であっても、各ＲＥ２０が運用されている環境に応じて、各ＲＥ２０の受信電力の通常の範囲をより細かい期間毎に把握することが可能になり、ＲＥ２０の異常をより正確に検出することが可能になる。
【００５７】
また、上記実施形態によれば、生成部１６１は、無線信号を受信した曜日毎に基準情報を生成する。これにより、曜日毎に各ＲＥ２０におけるトラフィックが変化する場合、このトラフィックの変化に応じた基準情報が生成されることになる。したがって、曜日によるトラフィックが変化する場合であっても、各ＲＥ２０の受信電力の通常の範囲をより正確に把握することが可能になり、ＲＥ２０の異常をより正確に検出することが可能になる。
【００５８】
また、上記実施形態によれば、生成部１６１は、ＲＥ２０の通信範囲内で開催されるイベントの有無を示すイベント情報をさらに用いて、基準情報を生成する。これにより、ＲＥ２０のイベントが開催されることにより、各ＲＥ２０のトラフィックが変化する場合、このトラフィックの変化に応じた基準情報が生成されることになる。したがって、イベントの開催によりトラフィックが変化する場合であっても、各ＲＥ２０の受信電力の通常の範囲をより正確に把握することが可能になり、ＲＥ２０の異常をより正確に検出することが可能になる。
【００５９】
また、上記実施形態によれば、イベント情報は、イベントの種類およびイベントの開始時刻をさらに示す。これにより、イベントの種類およびイベントの開始時刻を基準とした経過時間と対応づけて基準情報を生成することが可能になる。このため、イベントの種類毎にトラフィックの変化が異なる場合や、イベントの開始時刻を基準とした経過時間によってトラフィックの変化が異なる場合であっても、このトラフィックの変化に応じた基準情報が生成されることになる。したがって、各ＲＥ２０の受信電力の通常の範囲をより正確に把握することが可能になり、ＲＥ２０の異常をより正確に検出することが可能になる。
【００６０】
また、上記実施形態によれば、生成部１６１は、レベル検出部１４０が複数回測定した受信電力の統計値を、基準情報とする。また、統計値は、受信電力の最大値および最小値であってよい。これにより、実際に測定された受信電力の範囲を基準情報とすることができるため、ＲＥ２０の異常をより正確に検出することが可能になる。
【００６１】
また、上記実施形態によれば、ＲＥ２０は、基準情報に基づいてＲＥ２０の異常を検出する検出部１６２をさらに有する。これにより、ＲＥ２０自身が生成した基準情報に基づいて、ＲＥ２０内で異常を検出するため、より確実に、ＲＥ２０の異常を検出することが可能になる。
【００６２】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００６３】
（変形例）
例えば、上記実施形態では、基準情報は、測定された複数の受信電力の統計値であり、より具体的には受信電力の最大値および最小値そのものであることとしたが、本発明はかかる例に限定されない。例えば、基準情報は、最大値および最小値そのものではなく、最大値および最小値に基づいて定められる値であってよい。
【００６４】
また、上記実施形態では、曜日毎に基準情報を生成する場合、日曜日から土曜日まで、週に７つの基準情報が生成されることとしたが、本発明はかかる例に限定されない。例えば、月曜日から金曜日までに対してまとめて１つの基準情報が生成されてもよい。また、特定の曜日（例えば火曜日）が休業である店舗付近に設置されたＲＥ２０では、特定の曜日に対する基準情報が、他の曜日と分けて生成されてもよい。
【００６５】
また、上記実施形態では、基準情報は、１時間毎に生成されたが、本発明はかかる例に限定されない。トラフィックの変化の様子に応じて、２時間毎、または３時間毎に基準情報が生成されてもよい。
【００６６】
また、上記実施形態における検出部１６２の機能は、他の異常検出機能と併用することもできる。例えば、ＲＥ２０が実際に故障したことを検出する異常検出機能と、検出部１６２による故障の予兆を検出する機能とを併用することで、異常の程度を把握することができるため、より確実に、ＲＥ２０の異常を検出することが可能になる。
【００６７】
なお、上記実施形態では、無線基地局１の構成および動作について主に説明したが、無線基地局１が実行する方法や、無線基地局１の構成を実現させるための動作をコンピュータに実行させるためのプログラムを提供することもできる。また、このプログラムは、通信路を介して配布されてもよいし、記録媒体に記録されたプログラムとして提供することもできる。なお、ここでいうコンピュータは、ＦＰＧＡなどのロジック回路や、ＣＰＵ（Ｃｅｎｔｒａｌ  Ｐｒｏｃｅｓｓｉｎｇ  Ｕｎｉｔ）などの制御回路を含む。
【００６８】
また、上記の各実施形態の一部又は全部は、以下の付記のように記載することが可能であるが、以下には限定されない。
【００６９】
［付記１］
無線信号を受信する受信部と、
前記受信部が受信した無線信号の受信電力を測定する測定部と、
前記測定部が測定した受信電力を用いて、異常を検出するための基準情報を生成する生成部と、を備える無線装置。
［付記２］
前記生成部は、前記無線信号を受信した時間帯毎に前記基準情報を生成する、付記１に記載の無線装置。
［付記３］
前記生成部は、前記無線信号を受信した曜日毎に前記基準情報を生成する、付記１または２に記載の無線装置。
［付記４］
前記生成部は、当該無線装置の通信範囲内で開催されるイベントの有無を示すイベント情報をさらに用いて、前記基準情報を生成する、付記１ないし３のいずれか１項に記載の無線装置。
［付記５］
前記イベント情報は、前記イベントの種類および前記イベントの開始時刻をさらに示す、付記４に記載の無線装置。
［付記６］
前記生成部は、前記イベントの種類ごとに、かつ、前記イベント開始時刻を基準とした経過時間ごとに、前記基準情報を生成する、付記５に記載の無線装置。
［付記７］
前記生成部は、前記測定部が複数回測定した受信電力の統計値を、前記基準情報とする、付記１ないし６のいずれか１項に記載の無線装置。
［付記８］
前記統計値は、前記受信電力の最大値および最小値である、付記７に記載の無線装置。
［付記９］
前記基準情報に基づいて異常を検出する検出部をさらに備える、付記１ないし８のいずれか１項に記載の無線装置。
［付記１０］
無線信号を受信する受信部と、
前記受信部が受信した無線信号の受信電力を測定する測定部と、
前記測定部が測定した受信電力を用いて、異常を検出するための基準情報を生成する生成部と、を有する無線装置を備える無線基地局。
［付記１１］
無線信号を受信することと、
前記受信した無線信号の受信電力を測定することと、
前記測定した受信電力を用いて、異常を検出するための基準情報を生成することとを含む、異常検出方法。
［付記１２］
コンピュータを、
無線信号を受信する受信部と、
前記受信部が受信した無線信号の受信電力を測定する測定部と、
前記測定部が測定した受信電力を用いて、異常を検出するための基準情報を生成する生成部として機能させるためのプログラム。
【符号の説明】
【００７０】
１      無線基地局
１０    ＲＥＣ（制御装置）
２０    ＲＥ（無線装置）
１００  アンテナ
１１０  受信部
１２０  Ａ／Ｄ変換部
１３０  フィルタ部
１４０  レベル検出部（測定部）
１５０  ＣＰＲＩ  ＩＦ部
１６０  演算部
１６１  生成部
１６２  検出部
１７０  メモリ部
【図１】
2015211365.tif 000003
【図２】
2015211365.tif 000004
【図３】
2015211365.tif 000005
【図４】
2015211365.tif 000006
【図５】
2015211365.tif 000007
【図６】
2015211365.tif 000008
【図７】
2015211365.tif 000009
【図８】
2015211365.tif 000010